(57)【要約】【課題】  複数種類のデジタル信号をできるだけ少ない数の伝送経路で送受信できる信号送信装置及び信号受信装置を提供する。【解決手段】  送信装置の構成は、電源電位とグランド電位との間をクロックに同期してスイッチする第１の信号伝送経路と、該第１の信号伝送経路と反転した電位を伝送する第２の信号伝送経路とを備え、他方、受信装置の構成は、上記第１及び第２の信号伝送経路により得られた電位信号を両波整流して電源電位及びグランド電位を得る整流部６０と、上記第１及び第２の信号伝送経路により得られた電位信号を平衡受信してクロック信号を得るクロック受信部６２とを有している。【選択図】    図１
2013240113.tif 000002
【特許請求の範囲】
【請求項１】
電源、グランド及びクロックの少なくとも三種類を含む信号送信装置において、その出力手段として、
電源電位とグランド電位との間をクロックに同期してスイッチする第１の信号伝送経路と、
該第１の信号伝送経路と反転した電位を伝送する第２の信号伝送経路と
を備えることを特徴とする信号送信装置。
【請求項２】
上記信号送信装置によって伝送された信号を受信する信号受信装置であって、
上記第１及び第２の信号伝送経路により得られた電位信号を両波整流して電源電位及びグランド電位を得る整流手段と、
上記第１及び第２の信号伝送経路により得られた電位信号を平衡受信してクロック信号を得るクロック受信手段と
を有することを特徴とする請求項２記載の信号送信装置に対応する信号受信装置。
【発明の詳細な説明】
【技術分野】
【０００１】
本発明は、デジタル信号の信号送信装置及び信号受信装置に関する。
【背景技術】
【０００２】
従来のデジタル信号送受信装置では、複数種類のデータの送受信を行う際、複数組の伝送系を必要としている。すなわち、デジタル信号は通常「０」と「１」の１ビットを基本とする信号であるため、転送するためには、本来１経路あれば足りるはずであり、送受信を行う場合であっても２経路あれば足りるはずであるが、その他にも信号の同期をとるためのクロック信号やリセット信号、その他の経路を必要としている。
【発明の開示】
【発明が解決しようとする課題】
【０００３】
そのような状態で、送受信するデジタル信号の数が増えれば増えるほど、それだけの伝送経路の数が必要になり、大きな問題になっていた。
【０００４】
本発明は、以上のような問題に鑑み創案されたもので、複数種類のデジタル信号をできるだけ少ない数の伝送経路で送受信できる信号送信装置及び信号受信装置の構成を提供せんとするものである。
【課題を解決するための手段】
【０００５】
本発明の第１の信号送信装置の構成は、
電源、グランド及びクロックの少なくとも三種類を含む信号送信装置において、その出力手段として、
電源電位とグランド電位との間をクロックに同期してスイッチする第１の信号伝送経路と、
該第１の信号伝送経路と反転した電位を伝送する第２の信号伝送経路と
を備えることを基本的特徴としている。
【０００６】
それに対応する第２の発明の信号受信装置の構成は、
上記信号送信装置によって伝送された信号を受信する信号受信装置であって、
上記第１及び第２の信号伝送経路により得られた電位信号を両波整流して電源電位及びグランド電位を得る整流手段と、
上記第１及び第２の信号伝送経路により得られた電位信号を平衡受信してクロック信号を得るクロック受信手段と
を有することを特徴としている。
【０００７】
上記第１及び第２の発明の構成によれば、電源及びクロック信号の両方を相手（受信）側に送ってあげる構成であって、電源／クロックを含む伝送経路（当然信号を伝送する線は別途ある）において、電源電圧を最大振幅とする正・逆相のクロックを、電源、グランド及びクロック信号に代えて送信し、それを受信する側で、上記クロックの整流加算信号から、電源電位及びグランド電位を得ると共に、上記クロック信号の平衡から不平衡の状態に変換して得られるクロック信号を使用して、受信側で使用することにより、クロック信号の線のみで、電源、グランド及びクロック信号を送ることができ、伝送経路の信号線数を削減することができる。
【発明の効果】
【０００８】
上記第１及び第２の信号送信装置及び信号受信装置の構成によれば、電源／クロックを含む伝送経路において、電源電圧を最大振幅とする正・逆相のクロックを電源、グランド、クロック信号に代えて送信し、それを受信する側で、上記クロックの整流加算信号を、電源及びグランド電位、並びに上記クロック信号の平衡状態から不平衡の状態に変換した信号として得られるクロック信号を夫々使用することにより、伝送経路の信号線数を削減することが可能となるという優れた効果を奏し得る。
【発明を実施するための最良の形態】
【０００９】
以下、本発明の実施の形態を、図面を使用して説明する。
【実施例１】
【００１０】
図１及び図２を用いて、本願第１及び第２の発明の実施例構成について説明する。
【００１１】
図２（ａ）は、従来の信号送受信装置間の信号線の種類の一部及び電源ケーブルと、同図（ｂ）〜（ｄ）は、その信号線及び電源電圧の時間波形を示した図面である。ここでは、その他の信号として流れているものは、例えば、デジタル信号である。
【００１２】
その際、送受信装置間で電源を供給するための電源線とグランド線が繋げられており、同図（ｂ）（ｃ）に示すように、グランドは０として、また電源は例えば５Ｖととして、安定的に一定の値をとり続ける。
【００１３】
これに対し、基本タイミングなどの同期信号を得るために、デジタル信号を扱う際に最低限必要なクロック信号は、図２（ｄ）に示すように、一定のクロック周期で刻まれた信号が、その間を流れることになる。
【００１４】
これに対し、図１の構成は、本願第１及び第２の発明の実施例構成を示している。
【００１５】
本実施例の送信装置の構成は、電源、グランド及びクロックの少なくとも三種類を含む信号送信装置であって、その出力手段として、図１（ａ）（ｂ）に示すように、電源電位とグランド電位との間をクロックに同期してスイッチする第１の信号伝送経路（クロック＋）と、該第１の信号伝送経路（クロック＋）と反転した電位を伝送する第２の信号伝送経路（クロック−）とを備えている。
【００１６】
他方本実施例の受信装置の構成は、上記第１及び第２の信号伝送経路（クロック＋及びクロック−）により得られた電位信号を両波整流して電源電位及びグランド電位を得る整流部６０と、上記第１及び第２の信号伝送経路（クロック＋及びクロック−）により得られた電位信号を平衡受信してクロック信号を得るクロック受信部６２とを有している。
【００１７】
上記整流部６０は、ブリッジ整流回路６０ａとその出力側に繋げられたローパスフィルタ６０ｂとを備えており、上述のように、上記第１及び第２の信号伝送経路（クロック＋及びクロック−）により得られた電位信号を両波整流して電源電位及びグランド電位を得ている。
【００１８】
また上記クロック受信部６２は、平衡→不平衡変換回路で構成されており、上述のように、上記第１及び第２の信号伝送経路（クロック＋及びクロック−）により得られた電位信号を平衡受信してクロック信号を得ている。
【００１９】
以上の回路構成から取り出された電源、グランド及びクロックは、図２（ｂ）（ｃ）（ｄ）と全く同じ状態となっている。
【００２０】
これらから明らかなように、本実施例の構成では、送受信装置間では、電源電圧をクロック信号に重畳的に載せている状態であり、そのために、両間を繋ぐ伝送経路（信号線）は、図２の従来構成と比べて、一本少なくて済むことになる。
【００２１】
すなわち、電源及びクロック信号の両方を相手（受信）側に送ってあげる構成であって、電源／クロックを含む伝送経路（当然信号を伝送する線は別途ある）において、電源電圧を最大振幅とする正・逆相のクロックを、電源、グランド及びクロック信号に代えて送信し、それを受信する側で、上記クロックの整流加算信号から、電源電位及びグランド電位を得ると共に、上記クロック信号の平衡から不平衡の状態に変換して得られるクロック信号を使用して、受信側で使用することにより、クロック信号の線のみで、電源、グランド及びクロック信号を送ることができるようになる。従って、伝送経路の信号線数を削減することが可能となる。
【００２２】
尚、本発明の信号送信装置及び信号受信装置は、上述の図示例にのみ限定されるものではなく、本発明の要旨を逸脱しない範囲内において種々変更を加え得ることは勿論である。
【産業上の利用可能性】
【００２３】
本発明の信号送信装置及び信号受信装置は、信号の転送に用いるものなら何でも適用可能であり、例えば、音楽演奏学習用や語学練習用の１対多数ないし多数対多数間の送受信を行う集団学習装置の構成として用いることもできる。
【図面の簡単な説明】
【００２４】
【図１】本願第１及び第２の発明の実施例構成を示す説明図である。
【図２】上記実施例構成の前提構成となる従来構成の説明図である。
【符号の説明】
【００２５】
６０      整流部
６０ａ    ブリッジ整流回路
６０ｂ    ローパスフィルタ
６２      クロック受信部
【図１】
2013240113.tif 000003
【図２】
2013240113.tif 000004